(57)【要約】【課題】濾過材を収納することができる濾過材収納体を備えた石詰め構造物及び鋼製枠堰堤を提供すること。【解決手段】石詰め構造物内に、濾過材収納体が縦向きに埋め込み配置され、その濾過材収納体に、濾過材が収納されている石詰め構造物であって、濾過材収納体１６は、縦向きに配置され側周面に通水孔２を有する複数の縦断面波形筒状管体１を備え、各縦断面波形筒状管体１内に濾過材９が収納され、濾過材収納体１６の周囲に充填材７による通水性充填材層８が形成されて、前記濾過材収納体１６が埋め込まれている石詰め構造物とする。その石詰め構造物は、鋼製枠を用いた鋼製枠堰堤とする。【選択図】図４
2012112217.tif 000002
【特許請求の範囲】
【請求項１】
濾過材が収納されている濾過材収納体が縦向きに埋め込み配置される石詰め構造物であって、濾過材収納体は、縦向きに配置され側周面に通水孔を有する複数の縦断面波形筒状管体を備え、各縦断面波形筒状管体内に濾過材が収納され、濾過材収納体の周囲に充填材による通水性充填材層が形成されて、前記濾過材収納体が埋め込まれていることを特徴とする濾過材収納体を備えた石詰め構造物。
【請求項２】
縦断面波形筒状管体は、その外周面側の凹部に透水性充填材層の充填材が入り込んで石詰め構造物内で保持されるとともに、縦断面波形筒状管体の内周面側の凸部が内部に収納された濾過材に接触して濾過材を保持することを特徴とする請求項１記載の濾過材収納体を備えた石詰め構造物。
【請求項３】
濾過材収納体は、その上端部に通水孔を備えていない蓋材が設けられていることを特徴とする請求項１又は２に記載の濾過材収納体を備えた石詰め構造物。
【請求項４】
濾過材が、天然やし繊維あるいは合成繊維等の多数の繊維を柱状に成形すると共に繊維製ネットにより包んだ濾過材であることを特徴とする請求項１〜３のいずれかに記載の濾過材収納体を備えた石詰め構造物。
【請求項５】
請求項１〜４のいずれかに記載の石詰め構造物が、石詰め鋼製枠堰堤であることを特徴とする濾過材収納体を備えた石詰め鋼製枠堰堤。
【請求項６】
請求項１〜４のいずれかに記載の石詰め構造物が、充填材に代えて、鋼製枠体内に石を充填した鋼製枠堰堤であることを特徴とする濾過材収納体を備えた石詰め鋼製枠堰堤。
【発明の詳細な説明】
【技術分野】
【０００１】
本発明は、ダム等に流れ込む上流河川その他の河川における水質を浄化するために設置される濾過材収納体を備えた石詰め構造物及び鋼製枠堰堤に関する。
【背景技術】
【０００２】
従来、多数の水浄化接触材を構造体内の多数のフックに係止した構造の海水浄化設備が知られている（例えば、特許文献１参照）。
また、やし殻繊維又は不織布を用いた袋体内に木炭片を詰め込んだ袋体を載置するようにした水質浄化型木工沈床で、河川等に設置される石詰め形態の水質浄化型木工沈床を上流側から下流側に向かって順次レベルが低くなるように設置する形態も知られている（例えば、特許文献２参照）。
また、濾過材料としては、植物を用いた形態の濾過材料も知られている（例えば、特許文献３参照）
また、上流河川の浄化用堰堤としては、河床上に設置される石詰め部の鋼製箱枠を、上流側から下流側方向に間隔をおいて形成し、各石詰め部の鋼製箱枠の両端部を袖部の鋼製箱枠に接合し、石詰め部の鋼製箱枠間に、空洞鋼製箱枠を形成し、その空洞鋼製箱枠を活性炭又は／及び木炭の充填部とし、その充填部内に、活性炭シートを前後両面に張設した網籠内に木炭を充填してなる浄化フィルターを収容するようにした上流河川の浄化用堰堤も知られている（例えば、特許文献４参照）
【先行技術文献】
【特許文献】
【０００３】
【特許文献１】特開平０６−２２８９３０号公報
【特許文献２】特開２００１−１４０２４０号公報
【特許文献３】特開２００１−２６９５１７号公報
【特許文献４】特開平０６−１５４７４４号公報
【特許文献５】特開２００４−１１４１６１号公報
【発明の概要】
【発明が解決しようとする課題】
【０００４】
多数の水浄化接触材を構造体内の多数のフックに係止する構造の場合は、多数の水浄化接触材の設置作業が煩雑であると共に交換作業に時間がかかり施工コストが高くなるという問題があった。
また、多数の水浄化接触材を構造体内の多数のフックに係止する構造の場合は、各水浄化接触材が水流により揺れ動くため、安定した状態で設置することが困難であり、安定した浄化作用を発揮しづらいという問題がある。
木炭片を詰め込んだ袋体を載置するようにした形態の水質浄化型木工沈床では、水流に対しての袋体の安定性が低いという問題がある。
石詰め部の鋼製箱枠間に、空洞鋼製箱枠を形成し、その空洞鋼製箱枠を活性炭又は／及び木炭の充填部とし、その充填部内に、活性炭シートを前後両面に張設した網籠内に木炭を充填してなる浄化フィルターを収容する形態では、浄化フィルターが大型となり、また、空洞鋼製箱枠が容器ではないため、浄化フィルターの交換が容易でないという問題がある。
【０００５】
本発明は、濾過材の安定性もよく、濾過材設置及び／又は交換を容易に行うことができる濾過材収納体を備えた石詰め構造物及び鋼製枠堰堤を提供することを目的とする。
【課題を解決するための手段】
【０００６】
第１発明の濾過材収納体を備えた石詰め構造物では、濾過材が収納されている濾過材収納体が縦向きに埋め込み配置される石詰め構造物であって、濾過材収納体は、縦向きに配置され側周面に通水孔を有する複数の縦断面波形筒状管体を備え、各縦断面波形筒状管体内に濾過材が収納され、濾過材収納体の周囲に充填材による通水性充填材層が形成されて、前記濾過材収納体が埋め込まれていることを特徴とする。
第２発明では、第１発明の濾過材収納体を備えた石詰め構造物において、縦断面波形筒状管体は、その外周面側の凹部に透水性充填材層の充填材が入り込んで石詰め構造物内で保持されるとともに、縦断面波形筒状管体の内周面側の凸部が内部に収納された濾過材に接触して濾過材を保持することを特徴とする。
第３発明では、第１発明又は第２発明の濾過材収納体を備えた石詰め構造物において、濾過材収納体は、その上端部に通水孔を備えていない蓋材が設けられていることを特徴とする。
第４発明では、第１発明〜第３発明のいずれかの濾過材収納体を備えた石詰め構造物において、濾過材が、天然やし繊維あるいは合成繊維等の多数の繊維を柱状に成形すると共に繊維製ネットにより包んだ濾過材であることを特徴とする。
第５発明の濾過材収納体を備えた石詰め鋼製枠堰堤では、第１発明〜第４発明のいずれかに記載の石詰め構造物が、石詰め鋼製枠堰堤であることを特徴とする。
第６発明の濾過材収納体を備えた石詰め鋼製枠堰堤では、第１発明〜第４発明のいずれかの石詰め構造物が、充填材に代えて、鋼製枠体内に石を充填した鋼製枠堰堤であることを特徴とする。
【発明の効果】
【０００７】
第１発明によると、濾過材が収納されている濾過材収納体が縦向きに埋め込み配置される石詰め構造物であって、濾過材収納体は、縦向きに配置され側周面に通水孔を有する複数の縦断面波形筒状管体を備え、各縦断面波形筒状管体内に濾過材が収納され、濾過材収納体の周囲に充填材による通水性充填材層が形成されて、前記濾過材収納体が埋め込まれているので、簡単な構成で濾過機能を有する石詰め構造物とすることができる。
しかも、濾過材が側周面に通水孔を有する中空の縦断面波形筒状管体内に配置されているため、濾過材を所定の位置に所定の姿勢で安定した状態で設置することができ、安定した濾過機能を有する濾過材収納体を備えた石詰め構造物とすることができる。
また、縦断面波形筒状管体を備えた濾過材収納体が縦向きに石詰め構造物内に配置され、その縦断面波形筒状管体内に濾過材が収納されているので、濾過材の設置及び／又は交換を容易に行うことができる等の効果が得られる。
第２発明によると、縦断面波形筒状管体は、その外周面側の凹部に透水性充填材層の充填材が入り込んで石詰め構造物内で保持されるとともに、縦断面波形筒状管体の内周面側の凸部が内部に収納された濾過材に接触して濾過材を保持するので、縦断面波形筒状管体の外周面側の凹部に石が入り込むため、断面波形筒状管体の周囲に充填される石により、縦断面波形筒状管体を保持することができ、濾過材の引き抜き交換時において縦断面波形筒状管体の抜け出しを防止し、設置位置を維持することができる。また、縦断面波形筒状管体は縦断面が波形の筒状管体で内周面側の凸部が内部に収納された濾過材に接触して保持しているので、濾過材と濾過材収納体とに働く摩擦力を小さく抑えられ、濾過材の交換時には濾過材の引き抜きが容易に行える。
各縦断面波形筒状管体の内周面側の凸部が内部に収納された濾過材に接触して保持されていることで濾過材が安定した姿勢となると共に安定した濾過機能を発揮することができ等の効果が得られる。
濾過材収納体の周囲にクラッシャラン等からなる充填材を充填しているので、濾過材収納体の周囲へのクラッシャラン等からなる充填材の充填が容易であると共に、濾過材収納体の周囲に確実にクラッシャラン等からなる充填材を充填して、通水性充填材層を形成することができる等の効果が得られる。
第３発明によると、濾過材収納体の上端部に通水孔を備えていない蓋材が設けられているので、濾過材の上端部側からのからの土砂の流入を防止でき、これにより安定した濾過機能を発揮させることができる等の効果がえられる。
第４発明によると、濾過材が、天然やし繊維あるいは合成繊維等の多数の繊維を柱状に成形すると共に繊維製ネットにより包んだ濾過材であるので、天然やし繊維等の安価な濾過材を用いて、土石流あるいは河川等における濁水中の土粒子を吸着して、濁水の濾過をすることができる等の効果が得られる。
第５発明の濾過材収納体を備えた石詰め鋼製枠堰堤では、第１発明〜第４発明のいずれかに記載の石詰め構造物が、石詰め鋼製枠堰堤であるので、石詰め鋼製枠堰堤に濾過機能を付与することができ、また鋼製枠堰堤を組み立てて構築することができるので、構造が簡単であると共に構築が容易である等の効果が得られる。
第６発明の濾過材収納体を備えた石詰め鋼製枠堰堤では、第１発明〜第４発明のいずれかの石詰め構造物が、充填材に代えて、鋼製枠体内に石を充填した鋼製枠堰堤であるので、石詰め鋼製枠堰堤に濾過機能を付与することができ、また石を充填した鋼製枠堰堤を組み立てて構築することができるので、構造が簡単であると共に構築が容易である等の効果が得られる。
【図面の簡単な説明】
【０００８】
【図１】本発明の複数の縦断面波形筒状管体を備えた濾過材収納体を埋め込んだ石詰め構造物を示す概略縦断側面図である。
【図２】図１の概略正面図である。
【図３】図１の一部を拡大して示す縦断側面図である。
【図４】図３の一部を拡大すると共に斜材を手前側にして示す縦断側面図である。
【図５】図１の一部を拡大すると共に一部を切り欠いて示す正面図である。
【図６】図３の一部を拡大して示す縦断側面図である。
【図７】図３の一部拡大平面図である。
【図８】図７において、蓋を取り外した状態を示す平面図である。
【図９】濾過材を交換する場合の説明図である。
【図１０】濾過材を交換する場合の説明図である。
【図１１】濾過材を交換した状態を示す説明図である。
【図１２】間隔をおいて縦断面波形筒状管体を連結した状態を示す一部縦断正面図である。
【図１３】図１２に示す縦断面波形筒状管体を連結した状態の横断平面図である。
【図１４】周側面に多数の通水孔を設けた断面波形筒状管体を備えた濾過材収納体を示す一部縦断側面図である。
【図１５】濾過材を示すものであって、（ａ）は正面図、（ｂ）は平面図である。
【図１６】濾過材を示すものであって、（ａ）は縦断正面図、（ｂ）は横断平面図である。
【図１７】他の配置形態の濾過材収納体を埋め込んだ石詰め構造物を示す平面図である。
【図１８】さらに他の配置形態の濾過材収納体を埋め込んだ石詰め構造物を示す平面図である。
【図１９】他の形態の濾過材を示すものであって、（ａ）は縦断正面図、（ｂ）は横断平面図である。
【図２０】複数の縦断面波形筒状管体を相互を連結した他の形態の濾過材収納体状態を示す縦断正面図である。
【発明を実施するための形態】
【０００９】
次に、本発明を図示の実施形態に基づいて詳細に説明する。
【００１０】
先ず、図１４を参照して、本発明において用いる縦断面波形筒状管体１の一形態について説明すると、鋼製筒状の縦断面波形筒状管体１とされ、側周面に内側に貫通する通水孔２を有する中空の縦断面波形筒状管体１が用いられている。
このような縦断面波形筒状管体１を製作する場合には、例えば、縦方向（管軸方向）の断面形態が波形で、かつ平面視の断面形態が、断面半円状で両側部に接合用外フランジを有する断面半円状短尺ユニット３相互をボルト・ナット等により接合して断面円状短尺ユニット４を形成し、かつ直列に隣り合う断面円状短尺ユニット４相互は、縦方向の端部を重合させて、ボルト・ナット等により接合して、通水孔２を有する中空管状の長尺の縦断面波形筒状管体１が形成される。
【００１１】
前記のような縦方向の断面形態が波形であると、縦断面波形筒状管体１の外表面に、その縦方向に波形形態による凹部５と凸部６が交互に形成されているため、縦断面波形筒状管体１の外側周囲にクラッシャラン等からなる充填材７（図４参照）を充填して通水性充填材層８を形成した場合に、凹部にクラッシャラン等からなる充填材７の一部が入り込み、通水性充填材層８あるいはその周囲の石とが鋼製構造物内に配置されて保持されていることで、縦断面波形筒状管体１を確実に保持し、縦断面波形筒状管体１内に配置される濾過材９を交換する場合に、縦断面波形筒状管体１の抜け出しを確実に防止すると共に安定した状態で保持することができる。
【００１２】
図１４に示す形態は、縦断面波形筒状管体１の一例を示したもので、縦断面波形筒状管体１の外面に、その縦方向に波形の凹部５凸部６を交互に設けてなる抜け出し防止手段としている。図１４以外の形態も可能であり、例えば、図２０に示すように、側周面に多数の通水孔２を有する中空の鋼管からなる縦断面波形筒状管体１の縦方向の端部あるいは中間部に、フランジあるいはストッパ１０等からなる抜け出し防止手段を備えた形態としてもよい。縦断面波形筒状管体１の下端部には、下端側からの濁水の流入を防止するために、底板を設けるのが好ましい。同様に、縦断面波形筒状管体１の上端部には、下端側からの濁水の流入を防止し、濾過性能の低下を防止するために、着脱可能で通水孔を備えていない蓋材１１を設けるのが好ましい。
前記の着脱可能な蓋材１１としては、例えば、図２０に示すように、蓋本体１２の周縁部に下方に向かって突出する周側壁１３を設け、その周側壁１３に平面視で角度間隔をおいて複数の雌ねじ孔あるいは雌ねじ部材を設けて、半径方向に進退移動可能にボルト１４を設けることで、前記ボルト１４の先端部を、縦断面波形筒状管体１の凹部５または凸部６等に係止したり外面に圧着させることで、蓋の離脱を防止し、濾過材９の上下方向からの濁水の濾過を避けるようにしている。
【００１３】
図１２および図１３に示すように、間隔をおいて隣り合う縦断面波形筒状管体１を連結リンク１５により連結して、ユニット化された濾過材収納体１６を形成するようにしてもよい。したがって、前記の濾過材収納体１６は、複数の縦断面波形筒状管体１を備えた形態とし、前記の蓋材１１としては、個々の縦断面波形筒状管体１に設けるようにしてもよく、図示を省略するが、濾過材収納体１６の上端部全体にわたるような蓋材１１を設けるようにしてもよい。
この形態の場合には、縦断面波形筒状管体１に、半径方向の対称位置にブラケット１７を縦断面波形筒状管体１の外面に溶接により設けると共に上下方向に間隔をおいて複数設けて、間隔をおいて隣り合う縦断面波形筒状管体１相互のブラケット１７を、連結リンク１５及びボルト等の横ピン１８により連結して、ユニット化すると、複数の縦断面波形筒状管体を備えた濾過材収納体１６を一度に、吊り上げ搬送して設置することができ、また、隣り合う縦断面波形筒状管体１の間隔を一定の間隔に配置することも可能になる。ユニット化する場合には、前後方向に連結してユニット化してもよく、あるいは左右方向にユニット化してもよい。
なお、図示を省略するが、縦断面波形筒状管体１の外面には、吊金具（図示を省略した）が設けられている。
縦断面波形筒状管体１の材質としては、特に限定されるものではないが、鋼管製或はエキスパンドメタルを円筒状に形成した縦断面波形筒状管体１あるいは合成樹脂製の縦断面波形筒状管体１としてもよく、横断面形態としては、図示の円形以外にも縦断面波形の筒状管体であれば、楕円形、三角形、四角形、五角形、六角形等の多角形の形態、半円形等の形態であってもよく、その横断面形態に応じて、濾過材の横断面形態を設定すればよい。
【００１４】
次に、図１５および図１６を参照して、前記の複数の縦断面波形筒状管体１を備えた濾過材収納体１６に収納配置される各濾過材９の一形態について説明すると、多数の天然やし繊維を高密度にほぼ均一な状態で柱状に成形した濾過材本体９ａで、濁水中の土粒子を効率よく補足可能した部材で、これを、同材質の天然やし繊維製縄体１９を編んだ袋状ネット２０により包んでなる濾過材９とされている。  前記の濾過材９の透水係数としては、例えば、４ｍｍ／秒〜１０ｍｍ／秒、好ましくは５ｍｍ／秒程度の濾過材を用いる。
前記のような濾過材９は、側周面に通水孔を有する中空の縦断面波形筒状管体内に収納配置されるため、柱状の濾過材を所定の位置に所定の姿勢で安定した状態で設置することができ、安定した濾過機能を有する濾過材収納体１６を備えた石詰め構造物とすることができる。
また、濾過材９は、濁水等の水に浸すと吸水するため、交換の引き抜き時にかなりの重量となる。この際に、濾過材９と縦断面波形筒状管体１とに周面摩擦力が働くと、重量と周面摩擦力で引き抜きが困難となる。しかし、濾過材収納体１は縦断面が波形の筒状管体で内周面側の凸部が内部に収納された濾過材に接触して保持しているので、濾過材９と濾過材収納体１とに働く摩擦力を小さく抑えられ、濾過材９の交換で引き抜きが容易に行える。
濾過材９の外径寸法は、縦断面波形筒状管体１の内径寸法よりも僅かに小さくされ、また、濾過材９の上下方向の長さ寸法は、縦断面波形筒状管体１の内側の高さ寸法よりも僅かに小さくされていることで、濾過材９を縦断面波形筒状管体１内に収容配置することができるようにされている。
【００１５】
濾過材としては、前記の形態以外にも、例えば、図１９に示すような、多数の天然植物繊維、あるいは合成繊維等の縦繊維を束ねた縦繊維郡（束）２１を、袋状ネット２０により包んでなる濾過材９としてもよい。濾過材としては、濾過材の横断面形態に応じて、横断面小径の棒状濾過材を集合させて袋状ネット２０に収容するようにしてもよい。
【００１６】
次に、複数の各縦断面波形筒状管体１内に、濾過材９が収納されている、濾過材収納体を備えた石詰め構造物の一形態について、図１〜図８を参照して説明する。
【００１７】
図１を拡大して示す図３あるいは図４に示すように、上流側（前部）から下流側（後部）に向かう垂直面に位置し、上部が上流側に向かって傾斜して配置されたＨ形鋼からなる柱材２２が前後間隔をおいて配置され、前後に間隔をおいて隣り合う各柱材２２は、上下方向に間隔をおいて平行に配置された奥行き梁２３にガセットプレートを介して剛接合され、上位に位置する奥行き梁２３の下流側の柱材との接合部と、下位に位置する奥行き梁２３の上流側の柱材との接合部とに渡って、溝形鋼からなる斜材２４が配置されてガセットプレートを介して剛接合されて、トラス構造が形成されている。
上流側に位置する傾斜した柱材２２の上端部は、下流側に位置する傾斜した柱材２２の上端部よりも、ほぼ、上下の奥行き梁２３のレベル差程度、低く配置されて、各傾斜した柱材２２の上端部により、下流側に向かって、順次、高レベルとなるように階段状に配置されている。前記の傾斜した柱材２２は適宜、長さ寸法を長くした形態の柱材を用いることが出来る。
【００１８】
図１に矢印Ｘで示すように、上流側から下流側に向かう濁水の流れに対して、上部が上流側よりに傾斜し、各階段状に傾斜して配置された柱材２２の上端部には、鉛直な上部柱材２５の下部が載置され、各上部柱材２５の上端の下流側の背面には、前記垂直面において奥行き梁２３が水平に配置されて、その奥行き梁２３の前端部がガセットプレートを介して上部柱材２５に剛接合され、その奥行き梁２３の後端部は、後部の傾斜した柱材及び後部の上部柱材２５に、ガセットプレートを介して剛接合されて、前記と同様にトラス構造とされている。なお、図中、符号３５はコンクリート製の側壁である。
なお、図示を省略するが、下流側端部では、傾斜した柱材２２が後端部に位置するようにされる。
【００１９】
川幅方向（左右方向）に間隔をおいて隣り合うＨ形鋼からなる上部柱材２５間には、上下方向に間隔をおいて並行に、川幅方向に水平配置される溝形等の形鋼からなるスクリーン材２６が、上部柱材２５の前部フランジの背面側に配置されて、ボルト等によりピン接合されている。
また、図示を省略するが、下流側の後端部に位置する傾斜した柱材には、川幅方向に間隔をおいて隣り合う傾斜した柱材２２間に渡って、溝形鋼等のスクリーン材２６が配置されて、ボルト等によりピン接合されている。
【００２０】
また、上部柱材２５の上端部及び各傾斜した柱材２２の上端部及び中間部における奥行き梁２３のレベル付近には、川幅方向に渡って溝形鋼等からなる左右方向の前部梁材２７または中間梁材２８あるいは後面梁材（図示を省略）が配置されて、ボルト等によりピン接合されている。
また、図示を省略するが、下端に位置し、川幅方向に間隔をおいて平行な奥行き梁間には、形鋼からなるスクリーン材が配置されてその各端部が奥行き梁にボルト等により連結される。
【００２１】
前記のように、川幅方向に間隔をおいた垂直面に面状トラス構造体が形成され、隣り合う面状トラス構造体が、左右方向の梁材あるいはスクリーン材によりピン接合されていることで、地盤の沈降に追従変形可能で、片面側が階段状の鋼製立体構造物２９が形成されている。
【００２２】
左右の各上部柱材２５にピン接合されているスクリーン材２６の背面側には、前記の上部柱材２５におけるフランジ間の溝内において、隣り合う上部柱材２５間にわたって、複数枚のエキスパンドメタル等からなる通水性流出防止材３０が、前部梁材２７の下側でスクリーン材２６の背面側に配置されて、固定されている。前記の通水性流出防止材３０により、地盤の沈降に追従変形が阻害されないように、前記通水性流出防止材３０は設けられる。
前記の通水性流出防止材３０は、その背面側に充填されるクラッシャランからなる充填材７あるいはクラッシャランから粒度が調整された砕石等からなる充填材７が流出するのを防止するために設けられる。
前記の通水性流出防止材３０を設ける上下方向の高さ寸法は、前記の縦断面波形筒状管体１又は濾過材収納体１６の高さ寸法あるいはこれよりも長い寸法とされている。
【００２３】
図示の形態では、前記の通水性流出防止材３０から下流側に間隔をおいて、かつ、平面視で、前部梁材２７の長さ範囲内の鋼製立体構造物２９内において、複数枚のエキスパンドメタル等からなる通水性仕切り壁３２が設けられている。前記の通水性流出防止材３０と通水性仕切り壁３２との間において、左右方向に間隔をおくと共に前後方向に間隔をおいて複数の縦断面波形筒状管体１を備えた多数の濾過材収納体１６が配置され、前記通水性仕切り壁３２と通水性流出防止材３０との間には、前記濾過材収納体１６を埋め込むように充填材７が充填されて、濾過材収納体１６が安定した状態で埋め込み配置されている。
前記の縦断面波形筒状管体１及び濾過材９の上下方向の長さ寸法は、図示の形態では、上部柱材２５の長さ寸法の２倍程度の寸法とされ、上流側に位置する濾過材９の上部と、下流側に位置する濾過材９の下部が、上流側から見て、重なることで、２度濾過されるようにされている。
【００２４】
前記の通水性仕切り壁３２の背面側には、粒径が前記クラッシャランの最大径よりも大きな岩石又は玉石３３が充填され、縦断面波形筒状管体１の上端部に蓋材１１が設けられ、左右方向に延長する前後に間隔をおく梁材上面間に渡って、前後方向のスクリーン材２６を左右方向に間隔をおいて並行に、縦断面波形筒状管体１の外径寸法よりも小さく、かつ岩石あるいは玉石の粒径よりも小さい間隔に密にボルト・ナットにより着脱可能に設けることで、縦断面波形筒状管体１およびこれを備えた濾過材収納体１６及び岩石又は玉石３３の流出を防止するようにした、濾過材収納体を備えた石詰め構造物３４が形成されている。
【００２５】
前記のような濾過材収納体を備えた石詰め構造物３４を構築する手順としては、例えば、鋼製枠体構造物等の鋼製立体構造物２９を組立てた後、またはその鋼製立体構造物２９の組立と併行して通水性流出防止材３０を設けた後、縦断面波形筒状管体１又はその内部に濾過材９を収納した状態の複数の縦断面波形筒状管体１を備えた複数の濾過材収納体１６における各縦断面波形筒状管体１を、前部梁材２７よりも僅かに下位レベルとなるように、縦向き好ましくは鉛直に所定の位置に配置し、必要に応じ通水性仕切り壁３２を設け、前記各濾過材収納体１６を埋め込むように、クラシャラン等からなる充填材７を設けると共に、構造物内の下流側に岩石又は玉石３３を充填するように設ける。なお、階段状に順次上位のレベルに配置される濾過材収納体１６は、すでに設置された岩石又は玉石３３の層上に載置され、必要に応じ、鋼線等を縦断面波形筒状管体１に装着して、鋼線を周囲の鋼材等に係止して、縦断面波形筒状管体１を鉛直状態で仮保持した状態で、充填材７あるいは岩石又は玉石３３は充填される。
【００２６】
前記の濾過材９を交換する場合には、図９〜図１１に概略を示すように、前記の前後方向のスクリーン材２６を取り外した後、前記の縦断面波形筒状管体１（または濾過材収納体１６）の上端部に設けている蓋材１１を取り外した後、濾過材９のネット上端部を、適宜、簡易クレーン等を用いて垂直に吊り上げて、撤去し、新たな濾過材９を吊下ろして、濾過材収納体１における縦断面波形筒状管体１内に配置し、蓋材１１を設けた後、前記の前後方向のスクリーン材２６をボルト・ナットにより固定することで、補修して濾過機能を容易に回復させることができる。
【００２７】
前記実施形態のように、川幅方向に構築した鋼製立体枠組構造物内に収容するように、側周面に通水孔を有する中空の縦断面波形筒状管体１を複数備えた濾過材収納体１６が縦向きに埋め込み配置され、その各縦断面波形筒状管体１内に、濾過材９が収納されているので、簡単な構成で濾過機能を有する濾過材収納体を備えた石詰め構造物（石詰め鋼製枠堰堤）３４とすることができる。
しかも、濾過材９が側周面に通水孔を有する中空の縦断面波形筒状管体１内に配置されているため、濾過材９を所定の位置に所定の姿勢で安定した状態で設置することができ、安定した濾過機能を有する濾過材収納体を備えた石詰め構造物（鋼製枠堰堤）３４とすることができる。濾過材収納体を備えた石詰め構造物（鋼製枠堰堤）３４とする場合に前記の充填材７を、全て石に代えて充填すると、通水性もよく、通水性仕切り壁３２を省略することもでき安価になる。前記の充填材７としては、セメント等を硬化させて破砕した人口石を用いるようにしてもよい。
また、濾過材収納体１６が縦向きに石詰め構造物内に配置され、その濾過材収納体１６における縦断面波形筒状管体１内に濾過材９が収納されているので、濾過材９の設置及び／又は交換を容易に行うことができる。
【００２８】
また、濾過材収納体１６における縦断面波形筒状管体１を、鉛直に配置することで、濾過材収納体に配置されている濾過材を引き抜く場合には、濾過材を鉛直方向に吊り上げことで縦断面波形筒状管体１から引き抜くことができ、濾過材の縦断面波形筒状管体１内への設置或は撤去を容易に行うことができる。
【００２９】
本発明を実施する場合に、縦断面波形筒状管体としては、安価な市販のコルゲートパイプ等の縦断面波形筒状管体を利用してもよい。組立型のコルゲートパイプからなる断面波形筒状管体の場合では、その外周面側の凹部に石が入り込むため、縦断面波形筒状管体の周囲に充填される石により、縦断面波形筒状管体を保持することができ、濾過材の引き抜き交換時において縦断面波形筒状管体の抜け出しを防止することができる。また、濾過材９は、濁水等の水に浸すと吸水するため、交換をする場合の引き抜き時にかなりの重量となる。この際に、濾過材９と縦断面波形筒状管体１とに周面摩擦力が働くと、重量と周面摩擦力で引き抜きが困難となる。しかし、縦断面波形筒状管体１は縦断面が波形の筒状管体で内周面側の凸部が内部に収納された濾過材に接触して保持している状態であるので、濾過材９と縦断面波形筒状管体１とに働く摩擦力あるいは引き抜き抵抗力を小さく抑えられ、濾過材９の交換で引き抜きが容易に行える。また、適宜底部等に張り出しフランジ等の突出部あるいはストッパ等の抜け出し防止手段を設けることで、縦断面波形筒状管体の周囲に充填される石を利用して、筒状管体を保持できると共に、縦断面波形筒状管体の抜け出しを防止して濾過材の引き抜き交換が容易になる。
【００３０】
縦断面波形筒状管体１又は濾過材収納体の上端部に通水孔を備えていない蓋材が設けられていると、濾過材の上端部側からの土砂の流入を防止でき、濾過材を長期に渡って濾過機能を発揮させることができる等の効果がえられる。
【００３１】
本発明を実施する場合に、濾過材が、天然やし繊維あるいは合成繊維等の多数の繊維を柱状に成形すると共に繊維製ネットにより包んだ濾過材であると、天然やし繊維等の安価な柱状濾過材を用いて、土石流あるいは河川等における濁水中の土粒子を吸着（捕捉）して、濁水の濾過をすることができる等の効果が得られる。
【００３２】
本発明を実施する場合に、石詰め構造物を構成する通水性鋼製箱体又は通水性鋼製枠体としては、従来公知の鋼製箱型枠体又は図示のような形鋼からなる鋼材による組立可能な鋼製枠体を用いてもよい。
【００３３】
本発明を実施する場合、図示を省略するが、濾過材収納体を備えた石詰め構造物は、例えば、立方体状あるいは直方体状等の箱体の外側６面に形鋼等からなるスクリーン材を設けて、その箱体内に縦断面波形筒状管体１を備えた濾過材収納体１６を収納配置し、その周囲にクラッシャラン等からなる充填材を充填して、濾過材収納体１６を埋め込み、充填材７の下流側に仕切り壁を介して粒径の大きい石を収納するようにしてもよく、また、前記のような箱体を順次上方向に積み重ねると共に、上位に位置する箱体が下流側に向かって変位した位置としてもよい。
【００３４】
また、本発明を実施する場合に、図１７に示すように、左右方向に隣り合う縦断面波形筒状管体１を連結リンク１５により連結した濾過材収納体１６を２列、石詰め構造物３４内に設置したり、図１８に示すように、石詰め構造物（石詰め鋼製枠堰堤）３４内に３列設置するようにしてもよい。
【符号の説明】
【００３５】
１  縦断面波形筒状管体
２  通水孔
３  断面半円状短尺ユニット
４  断面円状短尺ユニット
５  凹部
６  凸部
７  充填材
８  通水性充填材層
９  濾過材
９ａ  濾過材本体
１０  フランジあるいはストッパ
１１  蓋材
１２  蓋本体
１３  周側壁
１４  ボルト
１５  連結リンク
１６  濾過材収納体
１７  ブラケット
１８  横ピン
１９  天然やし繊維製縄体
２０  袋状ネット
２１  縦繊維郡
２２  傾斜して配置された柱材
２３  奥行き梁
２４  斜材
２５  上部柱材
２６  スクリーン材
２７  前部梁材
２８  中間梁材
２９  鋼製立体構造物
３０  通水性流出防止材
３２  通水性仕切り壁
３３  岩石又は玉石
３４  濾過材収納体を備えた石詰め構造物（石詰め鋼製枠堰堤）
３５  側壁
【図１】
2012112217.tif 000003
【図２】
2012112217.tif 000004
【図３】
2012112217.tif 000005
【図４】
2012112217.tif 000006
【図５】
2012112217.tif 000007
【図６】
2012112217.tif 000008
【図７】
2012112217.tif 000009
【図８】
2012112217.tif 000010
【図９】
2012112217.tif 000011
【図１０】
2012112217.tif 000012
【図１１】
2012112217.tif 000013
【図１２】
2012112217.tif 000014
【図１３】
2012112217.tif 000015
【図１４】
2012112217.tif 000016
【図１５】
2012112217.tif 000017
【図１６】
2012112217.tif 000018
【図１７】
2012112217.tif 000019
【図１８】
2012112217.tif 000020
【図１９】
2012112217.tif 000021
【図２０】
2012112217.tif 000022